(57)【要約】【課題】本体ケーシング内からの可燃性冷媒の漏洩時に外部への漏洩出口を床面から高くして冷媒の拡散を促進することによって、可燃性冷媒の漏洩に伴うリスクを低減できる床置型空気調和機の室内機を提供する。【解決手段】本体ケーシング(３１,３２)内に配置され、室内熱交換器１５を介して吸い込んだ空気を吹き出す室内ファン１８と、本体ケーシング(３１,３２)内に配置され、可燃性冷媒の漏洩を検出するための冷媒センサと、下側吹出口３２b(下側開口)を開閉するシャッタ５０(開閉部材)を制御する室内制御装置を備える。上記室内制御装置は、冷媒センサにより可燃性冷媒の漏洩を検出したとき、シャッタ５０を制御して、下側吹出口３２bを閉状態にする。【選択図】図４
2015094512.tif 000002
【特許請求の範囲】
【請求項１】
本体ケーシング(３１,３２)と、
上記本体ケーシング(３１,３２)内に配置され、可燃性冷媒が流れる室内熱交換器(１５)と、
上記本体ケーシング(３１,３２)内に配置され、上記室内熱交換器(１５)を介して吸い込んだ空気を吹き出す送風ファン(１８)と、
上記本体ケーシング(３１,３２)に設けられ、上記送風ファン(１８)の吹出口または吸込口である上側開口(３２a)と、
上記本体ケーシング(３１,３２)に設けられ、上記送風ファン(１８)の吹出口または吸込口である下側開口(３２b)と、
上記本体ケーシング(３１,３２)内に配置され、上記可燃性冷媒の漏洩を検出するための冷媒センサ(６０)と、
上記下側開口(３２b)を開閉する開閉部材(５０)と、
上記送風ファン(１８)と上記開閉部材(５０)を制御する制御装置(２００)と
を備え、
上記制御装置(２００)は、上記冷媒センサ(６０)により上記可燃性冷媒の漏洩を検出したとき、上記開閉部材(５０)を制御して、上記下側開口(３２b)を閉状態にすることを特徴とする床置型空気調和機の室内機。
【請求項２】
請求項１に記載の床置型空気調和機の室内機において、
上記上側開口(３２a)の開口面積を調整するための上側開口調整部材(３４)を備え、
上記制御装置(２００)は、上記冷媒センサ(６０)により上記可燃性冷媒の漏洩を検出したとき、上記上側開口調整部材(３４)を制御して、上記可燃性冷媒の漏洩を検出する前よりも上記上側開口(３２a)の開口面積を広げることを特徴とする床置型空気調和機の室内機。
【請求項３】
請求項１または２に記載の床置型空気調和機の室内機において、
上記下側開口(３２b)は、上記送風ファン(１８)からの空気を吹き出す吹出口であって、
上記開閉部材(５０)は、上記吹出口である上記下側開口(３２b)を開閉するための吹出口用ダンパを兼ねることを特徴とする床置型空気調和機の室内機。
【請求項４】
請求項１から３のいずれか１つに記載の床置型空気調和機の室内機において、
上記可燃性冷媒として、Ｒ３２からなる単一冷媒またはＲ３２を主成分とする混合冷媒を用いたことを特徴とする床置型空気調和機の室内機。
【発明の詳細な説明】
【技術分野】
【０００１】
この発明は、床置型空気調和機の室内機に関し、詳しくは可燃性冷媒を用いた床置型空気調和機の室内機に関する。
【背景技術】
【０００２】
従来、床置型空気調和機の室内機としては、床置型の本体ケーシング内に室内熱交換器が配置され、室内熱交換器を介して送風ファンにより吸い込まれた空気を上側吹出口と下側吹出口から吹き出すものがある(例えば、特開２０１１−２０２８８６号公報(特許文献１)参照)。
【先行技術文献】
【特許文献】
【０００３】
【特許文献１】特開２０１１−２０２８８６号公報
【発明の概要】
【発明が解決しようとする課題】
【０００４】
上記床置型空気調和機の室内機では、運転停止状態において本体ケーシング内の室内熱交換器と冷媒配管との接続部などから冷媒が漏洩した場合、本体ケーシングで最も低い開口部分である下側吸込口を介して冷媒ガスが床面に流れ出すため、室内の床近傍に滞留した冷媒ガスの濃度が高くなるという可能性がある。上記可燃性冷媒は、ガス濃度がある程度高くなると、発火などのリスクが高まる。
【０００５】
そこで、この発明の課題は、本体ケーシング内からの可燃性冷媒の漏洩時に外部への漏洩出口を床面から高くして冷媒の拡散を促進することによって、可燃性冷媒の漏洩に伴うリスクを低減できる床置型空気調和機の室内機を提供することにある。
【課題を解決するための手段】
【０００６】
上記課題を解決するため、この発明の床置型空気調和機の室内機は、
本体ケーシングと、
上記本体ケーシング内に配置され、可燃性冷媒が流れる室内熱交換器と、
上記本体ケーシング内に配置され、上記室内熱交換器を介して吸い込んだ空気を吹き出す送風ファンと、
上記本体ケーシングに設けられ、上記送風ファンの吹出口または吸込口である上側開口と、
上記本体ケーシングに設けられ、上記送風ファンの吹出口または吸込口である下側開口と、
上記本体ケーシング内に配置され、上記可燃性冷媒の漏洩を検出するための冷媒センサと、
上記下側開口を開閉する開閉部材と、
上記送風ファンと上記開閉部材を制御する制御装置と
を備え、
上記制御装置は、上記冷媒センサにより上記可燃性冷媒の漏洩を検出したとき、上記開閉部材を制御して、上記下側開口を閉状態にすることを特徴とする。
【０００７】
ここで、可燃性冷媒とは、Ｒ３２などの微燃性冷媒を含む物とする。また、床置型の空気調和機は、床面に直接載置されたものに限らず、床面から一段高い位置に底部が位置するように載置されたり壁内に埋め込まれたりしたものでもよい。
【０００８】
上記構成によれば、例えば、運転停止状態において本体ケーシング内の室内熱交換器と冷媒配管との接続部などから可燃性冷媒が漏洩したとき、本体ケーシングに配置された冷媒センサにより可燃性冷媒の漏洩を検出すると、制御装置により開閉部材を制御して、送風ファンの吹出口または吸込口である下側開口を閉状態にする。そうすることによって、本体ケーシングで最も低い位置にある下側吸込口を介して可燃性冷媒ガスが室内の床面に流れ出すのを防ぎ、本体ケーシングで比較的高い位置にある開口部分(上側開口を含む)から空気よりも重い可燃性冷媒ガスが流れ出して落下するので、床面に落下するまでの間に可燃性冷媒ガスの拡散が促進されることになる。これにより、漏洩した可燃性冷媒ガスが室内の床近傍に滞留してガス濃度が高くなるのを防止できる。
【０００９】
このように、本体ケーシング内からの可燃性冷媒の漏洩時に外部への漏洩出口を床面から高くして冷媒の拡散を促進することによって、可燃性冷媒の漏洩に伴うリスクを低減できる。
【００１０】
また、一実施形態の床置型空気調和機の室内機では、
上記上側開口の開口面積を調整するための上側開口調整部材を備え、
上記制御装置は、上記冷媒センサにより上記可燃性冷媒の漏洩を検出したとき、上記上側開口調整部材を制御して、上記可燃性冷媒の漏洩を検出する前よりも上記上側開口の開口面積を広げる。
【００１１】
上記実施形態によれば、冷媒センサにより可燃性冷媒の漏洩を検出したとき、制御装置により上側開口調整部材を制御して、上記可燃性冷媒の漏洩を検出する前よりも上側開口の開口面積を広げることによって、本体ケーシングの高い位置にある上側開口から可燃性冷媒ガスが流れ出しやすくなるので、上側開口から流れ出た可燃性冷媒ガスを効果的に拡散させることができる。
【００１２】
また、一実施形態の床置型空気調和機の室内機では、
上記下側開口は、上記送風ファンからの空気を吹き出す吹出口であって、
上記開閉部材は、上記吹出口である上記下側開口を開閉するための吹出口用ダンパを兼ねる。
【００１３】
上記実施形態によれば、開閉部材は、運転時に吹出口である下側開口を開閉するための吹出口用ダンパを兼ねることによって、冷媒センサにより可燃性冷媒の漏洩を検出したとき、吹出口用ダンパを兼ねる開閉部材で吹出口である下側開口を閉状態にすることができる。
【００１４】
また、一実施形態の床置型空気調和機の室内機では、
上記可燃性冷媒として、Ｒ３２からなる単一冷媒またはＲ３２を主成分とする混合冷媒を用いた。
【００１５】
上記実施形態によれば、可燃性冷媒として、Ｒ３２からなる単一冷媒またはＲ３２を主成分とする混合冷媒を用いることによって、Ｒ３２はオゾン破壊係数や地球温暖化係数ＧＷＰ(Global Warming Potential)が低いので、地球温暖化の影響を抑えることができると共に、成績係数ＣＯＰ(Coefficient Of Performance)が向上してエネルギー消費を低減できる。
【発明の効果】
【００１６】
以上より明らかなように、この発明によれば、本体ケーシング内からの可燃性冷媒の漏洩時に外部への漏洩出口を床面から高くして冷媒の拡散を促進することによって、可燃性冷媒の漏洩に伴うリスクを低減できる床置型空気調和機の室内機を実現することができる。
【図面の簡単な説明】
【００１７】
【図１】図１はこの発明の実施の一形態の床置型空気調和機の室内機と室外機の冷媒回路の回路図である。
【図２】図２は上記床置型空気調和機の室内機の斜視図である。
【図３】図３は上記床置型空気調和機の室内機の吸込パネルと前面グリルを外した状態の正面図である。
【図４】図４は図３のIV−IV線から見た断面図である。
【図５】図５は図３のＶ−Ｖ線から見た断面図である。
【図６】図６は上記床置型空気調和機の室内機の制御ブロック図である。
【図７】図７は上記室内機の室内制御装置の動作を説明するためのフローチャートである。
【発明を実施するための形態】
【００１８】
以下、この発明の床置型空気調和機の室内機を図示の実施の形態により詳細に説明する。
【００１９】
図１はこの発明の実施の一形態の床置型空気調和機の室内機２およびその室内機２に連絡配管Ｌ１,Ｌ２を介して接続された室外機１の冷媒回路を示している。この空気調和機は、図１に示すように、圧縮機１１と、上記圧縮機１１の吐出側が一端に接続された四路切換弁１２と、上記四路切換弁１２の他端に一端が接続された室外熱交換器１３と、上記室外熱交換器１３の他端に一端が接続された電動膨張弁１４と、上記電動膨張弁１４の他端に閉鎖弁２１,連絡配管Ｌ１を介して一端が接続された室内熱交換器１５と、上記室内熱交換器１５の他端に連絡配管Ｌ２,閉鎖弁２２,四路切換弁１２を介して一端が接続され、他端が圧縮機１１の吸入側に接続されたアキュムレータ１６とを備えている。上記圧縮機１１,四路切換弁１２,室外熱交換器１３,電動膨張弁１４,室内熱交換器１５およびアキュムレータ１６で冷媒回路を構成している。この冷媒回路では、Ｒ３２の単一冷媒またはＲ３２を主成分とする混合冷媒を用いている。
【００２０】
また、上記圧縮機１１,四路切換弁１２,室外熱交換器１３,電動膨張弁１４,アキュムレータ１６,室外ファン１７および加湿ユニット４２で室外機１を構成し、室内熱交換器１５,室内ファン１８およびダクト部４０で室内機２を構成している。
【００２１】
また、この空気調和機は、室外からの加湿空気を室内に供給するためのダクト部４０を室内機２に備えると共に、室外機１の加湿ユニット４２に加湿ホース４１の一端を接続し、その加湿ホース４１の他端を室内機２のダクト部４０のホース接続部４０bに接続している。
【００２２】
また、上記室外機１は、圧縮機１１や室外ファン１７を制御する室外制御装置１００を備えている。また、室内機２は、リモートコントローラ,室内温度センサ(図示せず)などに基づいて室内ファン１８などを制御する制御装置の一例としての室内制御装置２００を備えている。
【００２３】
上記構成の空気調和機において、暖房運転時、四路切換弁１２を実線の切換え位置に切り換えて、圧縮機１１を起動すると、圧縮機１１から吐出された高圧冷媒が四路切換弁１２を通って室内熱交換器１５に入る。そして、上記室内熱交換器１５で凝縮した冷媒は、電動膨張弁１４で減圧された後に室外熱交換器１３に入る。上記室外熱交換器１３で蒸発した冷媒が四路切換弁１２およびアキュムレータ１６を介して圧縮機１１の吸入側に戻る。こうして、上記圧縮機１１,室内熱交換器１５,電動膨張弁１４,室外熱交換器１３およびアキュムレータ１６で構成された冷媒回路を冷媒が循環して、冷凍サイクルを実行する。そして、室内ファン１８により室内熱交換器１５を介して室内空気を循環させることにより室内を暖房する。
【００２４】
これに対して、冷房運転時は、四路切換弁１２を点線の切換え位置に切り換えて、圧縮機１１,室外熱交換器１３,電動膨張弁１４,室内熱交換器１５およびアキュムレータ１６の順に冷媒が循環する冷凍サイクルを実行する。
【００２５】
そして、暖房運転時等において室内が乾燥する場合、加湿ユニット４２からの加湿空気を加湿ホース４１とダクト部４０を介して室内に供給する。この加湿ユニット４２は、ゼオライト等の吸着材を用いて室外空気から水分を吸着し、その吸着剤に吸着した水分により室外空気を加湿した後、加湿された室外空気を室内機２に供給するものである。なお、加湿ユニットの構成はこれに限らず、水道などの給水手段により補給される水を用いて、加湿された空気を室内機に供給する加湿ユニットなどでもよい。
【００２６】
図２は上記床置型空気調和機の室内機の斜視図を示している。
【００２７】
この床置型空気調和機の室内機２は、図２に示すように、室内の壁面に後面側が取り付けられる略長方形状の底フレーム３１と、上記底フレーム３１の前面側に取り付けられ、前面に略長方形状の開口部(図示せず)を有する前面グリル３２と、前面グリル３２の開口部を覆うように取り付けられた吸込パネル３３とを備えている。上記底フレーム３１と前面グリル３２で本体ケーシングを構成している。
【００２８】
上記前面グリル３２の上部に上側開口の一例としての上側吹出口３２aを設けると共に、前面グリル３２の下部に下側開口の一例としての下側吹出口３２bを設けている。上記前面グリル３２の上側吹出口３２aに上側開口調整部材の一例としてのフラップ３４を設けている。このフラップ３４は、冷房運転および暖房運転時に回動して、上側吹出口３２aから冷風,温風を前方かつ斜め上方に吹き出し、運転停止時に上側吹出口３２aを覆う。
【００２９】
また、上記吸込パネル３３の上側に上側吸込口３３aを設け、吸込パネル３３の下側に下側吸込口３３bを設け、さらに吸込パネル３３の左右の側面に側方吸込口３３c(図２では右側のみを示す)を設けている。
【００３０】
図３は上記床置型空気調和機の室内機２の吸込パネル３３と前面グリル３２を外した状態の正面図を示している。図３において、図２に示す室内機２と同一の構成部には同一参照番号を付している。
【００３１】
図３に示すように、底フレーム３１の前面側に略平面形状の室内熱交換器１５が配置され、その裏面側に送風ファンの一例としての室内ファン１８を配置している。この室内ファン１８は、前面側から空気を吸い込んで半径方向外向に吹き出すターボファンである。上記底フレーム３１の左側面近傍かつ下側に、室内側開口部４０aを有するダクト部４０を配置している。
【００３２】
また、上記底フレーム３１の右側面近傍に、連絡配管Ｌ１,Ｌ２(図１に示す)が接続される配管接続部(図示せず)を設けている。この連絡配管Ｌ１,Ｌ２は、底フレーム３１の左側面近傍かつ下側に背面側から加湿ホース４１(図１に示す)と共に入り、底フレーム３１内の下側を図３の左から右に向かって導かれて配管接続部に接続される。
【００３３】
また、本体ケーシング内の底フレーム３１側かつ右側面近傍に、Ｒ３２冷媒の漏洩を検出するための冷媒センサ６０を配置している。
【００３４】
図４は図３のIV−IV線から見た断面図を示している。図４において、図２に示す室内機２と同一の構成部には同一参照番号を付している。
【００３５】
図４に示すように、底フレーム３１の略中央にファンモータ２６を固定している。このファンモータ２６の軸が接続された室内ファン１８を、軸が前後方向になるように底フレーム３１に配置している。上記室内ファン１８は、前面側から吸い込んだ空気を軸に対して半径方向外向に吹き出すターボファンである。また、上記底フレーム３１に室内ファン１８の前面側にベルマウス２７を設けている。そして、上記ベルマウス２７の前面側に室内熱交換器１５を配置し、その室内熱交換器１５の前面側に前面グリル３２を取り付け、その前面グリル３２の前面側に吸込パネル３３を取り付けている。上記前面グリル３２の開口部にフィルタ(図示せず)を取り付けている。また、上記ベルマウス２７の下部かつ室内熱交換器１５の下側には、ドレンパン２８を配置している。
【００３６】
また、前面グリル３２の下側の吹き出し通路内に下側吹出口３２bを開閉する開閉部材の一例としてのシャッタ５０を配置している。このシャッタ５０は、底フレーム３１側に設けられた軸５０aを中心にシャッタ駆動部５１(図６に示す)により回動し、下側の吹き出し通路を全開状態または全閉状態にする吹出口用ダンパである。
【００３７】
上記床置型空気調和機の室内機２では、暖房運転時に、上側吹出口３２aと下側吹出口３２bの両方から温風を吹き出す二方吹き制御と、下側吹出口３２bをシャッタ５０により閉じて、上側吹出口３２aの一方からのみ温風を吹き出す一方吹き制御がある。また、冷房運転時は、上側吹出口３２aの一方からのみ冷風を吹き出す。
【００３８】
また、図５は図３のＶ−Ｖから見た断面図を示しており、図５において、図４に示す室内機２と同一の構成部には同一参照番号を付している。なお、図５では、吸込パネル３３と前面グリル３２を外した状態を示している。
【００３９】
図５に示すように、本体ケーシング(底フレーム３１と前面グリル３２で構成)内の底フレーム３１側かつ下側に冷媒センサ６０を配置している。この冷媒センサ６０は、半導体をヒータで加熱する方式のセンサである。
【００４０】
図６は上記床置型空気調和機の室内機２の制御ブロック図を示しており、この室内機２は、マイクロコンピュータと入出力回路などからなる室内制御装置２００を有している。室内制御装置２００は、リモートコントローラ(図示せず)からの指令信号や室内温度センサ(図示せず)および冷媒センサ６０などの検出信号に基づいて、室内ファン１８(図４に示す)を駆動するファンモータ２６とシャッタ駆動部５１などを制御する。
【００４１】
次に、上記室内機２の室内制御装置２００の冷媒漏洩時の動作を図７のフローチャートを用いて説明する。
【００４２】
まず、処理がスタートすると、ステップＳ１で冷媒センサ６０によりＲ３２冷媒の漏洩を検出したか否かを判定する。このステップＳ１で冷媒センサ６０によりＲ３２冷媒の漏洩を検出したと判定すると、ステップＳ２に進み、冷媒センサ６０によりＲ３２冷媒の漏洩を検出していないと判定すると、ステップＳ１を繰り返す。
【００４３】
次に、ステップＳ２で運転中か否かを判定する。すなわち、冷房運転、暖房運転などの運転中か否かを判定する。そして、ステップＳ２で運転中であると判定すると、ステップＳ３に進み、運転を停止して、ステップＳ４に進む。
【００４４】
一方、ステップＳ２で、運転中でないすなわち運転停止中であると判定すると、ステップＳ４に進む。
【００４５】
そして、ステップＳ４で室内制御装置２００によりシャッタ駆動部５１を制御して、シャッタ５０(開閉部材)を閉鎖して下側吹出口３２b(下側開口)を閉状態にする。
【００４６】
次に、ステップＳ５に進み、ブザーや音声および／またはＬＥＤ表示部の点滅などにより冷媒漏洩が発生したことをユーザーに報知する。
【００４７】
上記構成の床置型空気調和機の室内機によれば、運転停止状態(室内ファン１８停止)では、下側吹出口３２b(下側開口)を開状態になっている。この運転停止状態において、本体ケーシング(底フレーム３１,前面グリル３２)内の室内熱交換器１５と冷媒配管との接続部などから微燃性冷媒であるＲ３２冷媒が漏洩したとき、本体ケーシングに配置された冷媒センサ６０によりＲ３２冷媒の漏洩を検出すると、室内制御装置２００によりシャッタ５０(開閉部材)を駆動するシャッタ駆動部５１を制御して、下側吹出口３２b(下側開口)を閉状態にする。そうすることによって、本体ケーシングで最も低い位置にある下側吸込口を介してＲ３２冷媒ガスが床面に流れ出すのを防ぎ、本体ケーシングで比較的高い位置にある開口部分(上側吹出口３２aを含む)から空気よりも重いＲ３２冷媒ガスが流れ出して落下するので、床面に落下するまでの間にＲ３２冷媒ガスの拡散が促進されることになる。これにより、微燃性のＲ３２冷媒ガスが室内の床近傍に滞留してガス濃度が高くなるのを防止することができる。
【００４８】
また、冷房運転中(または暖房運転中)に冷媒センサ６０によりＲ３２冷媒の漏洩を検出した場合は、室内制御装置２００は、冷房運転(または暖房運転)を停止した後、室内制御装置２００によりシャッタ５０(開閉部材)を駆動するシャッタ駆動部５１を制御して、下側吹出口３２b(下側開口)を閉状態にする。ここで、冷房運転または暖房運転の停止では、室内ファン１８も停止しているが、Ｒ３２冷媒の漏洩検出から所定の時間、室内ファン１８を運転して上側吹出口aから吹き出すことにより、Ｒ３２冷媒ガスの拡散を促進するようにしてもよい。
【００４９】
ここで、冷媒センサ６０によるＲ３２冷媒漏洩の検出は、冷媒センサ６０の出力信号レベルが所定の閾値を越えたとき冷媒漏洩を検出するが、冷媒センサ６０の出力信号に基づく冷媒漏洩の検出方法はこれに限らない。
【００５０】
なお、冷媒センサ６０によりＲ３２冷媒の漏洩を検出したとき、シャッタ５０(開閉部材)を閉じると共に、ブザーや音声および／またはＬＥＤ表示部の点滅などの報知手段によりユーザーに注意喚起する。
【００５１】
このように、本体ケーシング内からのＲ３２冷媒の漏洩時に外部への漏洩出口を床面から高くして冷媒の拡散を促進することによって、Ｒ３２冷媒の漏洩に伴うリスクを低減することができる。なお、Ｒ３２冷媒は、室内に漏洩したときに一旦拡散すると、室内の床面側に再び集まることがなく冷媒ガス濃度が高くなることはない。
【００５２】
また、上記冷媒センサ６０により微燃性のＲ３２冷媒の漏洩を検出したとき、室内制御装置２００によりフラップ３４(上側開口調整部材)を制御して、Ｒ３２冷媒の漏洩を検出する前よりも上側吹出口３２a(上側開口)の開口面積を広げることによって、本体ケーシングの高い位置にある上側吹出口３２a(上側開口)からＲ３２冷媒ガスが流れ出しやすくなるので、上側吹出口３２a(上側開口)から流れ出たＲ３２冷媒ガスを効果的に拡散させることができる。上記フラップ３４(上側開口調整部材)は、上側吹出口３２a(上側開口)の開口面積を調整する機能を有する。
【００５３】
また、上記開閉部材としてのシャッタ５０は、運転時に下側吹出口３２b(下側開口)を開閉するための吹出口用ダンパを兼ねることによって、冷媒センサ６０によりＲ３２冷媒の漏洩を検出したとき、吹出口用ダンパを兼ねるシャッタ５０(開閉部材)で下側吹出口３２b(下側開口)を閉状態にすることができる。
【００５４】
また、上記可燃性冷媒として、微燃性のＲ３２からなる単一冷媒またはＲ３２を主成分とする混合冷媒を用いることによって、Ｒ３２はオゾン破壊係数や地球温暖化係数ＧＷＰが低いので、地球温暖化への影響を抑えることができると共に、成績係数ＣＯＰが向上してエネルギー消費を低減することができる。
【００５５】
なお、上記実施の形態では、可燃性冷媒として、微燃性のＲ３２の単一冷媒またはＲ３２を主成分とする混合冷媒を用いたが、これに限らず、他の可燃性冷媒を用いた床置型空気調和機の室内機にこの発明を適用してもよい。
【００５６】
上記実施の形態では、給気加湿機能を備えた床置型空気調和機の室内機２について説明したが、これに限らず、給気加湿機能を備えていない床置型空気調和機の室内機にこの発明を適用してもよく、また、給気機能または排気機能の少なくとも一方を備えた床置型空気調和機の室内機にこの発明を適用してもよい。
【００５７】
また、上記実施の形態では、上側開口として上側吹出口３２aを設けると共に下側開口として下側吹出口３２bを設けた床置型空気調和機の室内機２について説明したが、上側開口や下側開口は吸込口であってもよく、また、上側開口が吹出口で下側開口が吸込口の大型の床置型空気調和機の室内機などにこの発明を適用してもよい。
【００５８】
また、上記実施の形態では、加湿ユニット４２が接続された床置型空気調和機の室内機２について説明したが、加湿ユニットはなくともよい。
【００５９】
この発明の具体的な実施の形態について説明したが、この発明は上記実施の形態に限定されるものではなく、この発明の範囲内で種々変更して実施することができる。
【符号の説明】
【００６０】
１…室外機
２…室内機
１１…圧縮機
１２…四路切換弁
１３…室外熱交換器
１４…電動膨張弁
１５…室内熱交換器
１６…アキュムレータ
１７…室外ファン
１８…室内ファン
２１,２２…閉鎖弁
２６…ファンモータ
２７…ベルマウス
２８…ドレンパン
３１…底フレーム
３２…前面グリル
３２a…上側吹出口
３２b…下側吹出口
３３…吸込パネル
３３a…上側吸込口
３３b…下側吸込口
３３c…側方吸込口
３４…フラップ
４０…ダクト部
４０a…室内側開口部
４０b…ホース接続部
４１…加湿ホース
４２…加湿ユニット
５０…シャッタ
５１…シャッタ駆動部
６０…冷媒センサ
１００…室外制御装置
２００…室内制御装置
Ｌ１,Ｌ２…連絡配管
【図１】
2015094512.tif 000003
【図２】
2015094512.tif 000004
【図３】
2015094512.tif 000005
【図４】
2015094512.tif 000006
【図５】
2015094512.tif 000007
【図６】
2015094512.tif 000008
【図７】
2015094512.tif 000009